(57)【要約】      （修正有）【課題】仮設足場の構築に際し、建造物におけるベランダの手摺やパラペット等の立壁部に足場を連結する壁つなぎ材を固定するための固定装置を提供する。【解決手段】建造物の立壁部Ｗの頂部両側面を挟着する一対の顎部材３ａ，３ｂに形成した取付面に弾性板１０ａ，１０ｂを設けた構成である。取付面に取付孔を設けると共に、顎部材の下端部に取付面から突出する支持片１５ａ，１５ｂを設け、弾性板に受孔を設けており、受孔と取付孔を介して、弾性板を取付面に固着した状態で、取付軸の頭部を受孔に埋入させ、支持片の突出端により、弾性板の圧接面から突出しない位置で弾性板の下端面を支持するように構成している。【選択図】図１
0003186642.tif 000002
【実用新案登録請求の範囲】
【請求項１】
仮設足場の壁つなぎ材を建造物の立壁部の頂部に固定する固定装置であり、
前記立壁部(W)の頂部両側面に配置される一対の顎部材(3a,3b)と、一対の顎部材を連結すると共に緊締することにより立壁部を挟着する緊締手段(4)と、前記顎部材に取付けられた弾性板(10a,10b)を備えた構成において、
前記顎部材(3)は、弾性板(10)が重ねられる取付面(11)に取付孔(12,13)を備えると共に、下端部に取付面(11)から突出する支持片(15)を設け、
前記弾性板(10)は、前記緊締手段(4)を緊締したとき立壁部(W)の側面に圧接させられる圧接面(22)を備えると共に、前記取付孔(12,13)に連通する受孔(16,17)を設けており、
前記弾性板(10)を顎部材(3)の取付面(11)に対して、前記受孔(16,17)と取付孔(12,13)を介して頭付き取付軸(18,19)により固着した状態で、前記受孔(16,17)が取付軸の頭部を埋入させると共に、前記支持片(15)の突出端が弾性板(10)の圧接面(22)から突出しない位置で該弾性板(10)の下端面を支持して成ることを特徴とする仮設足場における壁つなぎ材の固定装置。
【請求項２】
前記支持片(15)は、弾性板(10)の幅方向に延びる細長い金属板を顎部材(3)の下端部に固着することによりリブ状の突出端を形成し、弾性板(10)を顎部材(3)に固着した状態で、リブ状の突出端を弾性部材(10)の圧接面(22)から距離Ｌをあけて後退させて成ることを特徴とする請求項１に記載の仮設足場における壁つなぎ材の固定装置。
【請求項３】
立壁部の頂面の横断方向に配置される伸縮管に一対の顎部材を設けた構成において、前記伸縮管の下面に弾性シート(29)を設け、該弾性シートを介して伸縮管を立壁部の頂面に搭載するように構成して成ることを特徴とする請求項１又は２に記載の仮設足場における壁つなぎ材の固定装置。
【考案の詳細な説明】
【技術分野】
【０００１】
本考案は、仮設足場の構築に際し、建造物におけるベランダの手摺やパラペット等の立壁部に足場を連結する壁つなぎ材を固定するための固定装置に関する。
【背景技術】
【０００２】
仮設足場の壁つなぎ材を建造物に固定する固定装置に関して、従来、建造物の外壁に打ち込まれるアンカーボルト等を備えたものが一般的であるが、外壁を損傷する問題があり、足場解体時に、外壁の損傷部分を修復しなければならない問題がある。
【０００３】
そこで、前記問題を解決するため、本出願人は、建造物におけるベランダの手摺やパラペット等の立壁部に固定する方法を採用することにより、伸縮管に一対の顎部材を設け、緊締手段により立壁部を挟着するように構成した固定装置を提案している（以下「先行技術装置」という）。
【先行技術文献】
【特許文献】
【０００４】
【特許文献１】実用新案登録第３１６３９１９号公報
【特許文献１】特開２０１２−８２６５８号公報
【考案の概要】
【考案が解決しようとする課題】
【０００５】
先行技術装置によれば、建造物の立壁部に固定装置を固定する際、一対の顎部材により立壁部の頂部を挟着する構成とされているので、建造物を損傷することはない。従って、修復作業も必要でなく、上記の問題が解決されている。
【０００６】
しかしながら、固定装置は、足場構築体の壁つなぎ材を連結した状態で、安定強固に固定される構造とする必要があり、一対の顎部材を金属製部材により剛体構造に構成している。従って、緊締手段を強力に緊締し、顎部材により立壁部を強く挟着すると、顎部材が立壁部の表面に食い込んで損傷するおそれがある。
【０００７】
このため、顎部材に弾性板を取付け、該弾性板を介して立壁部を挟着するように構成することにより、立壁部を保護することが好ましい。
【０００８】
ところで、固定装置の連結手段に足場構築体の壁つなぎ材を連結した状態で、壁つなぎ材が足場構築体の微振動や微揺動等を受けたとき、固定装置に種々の方向の力が作用する。
【０００９】
従って、立壁部に固定した固定装置は、壁つなぎ材の作用により、立壁部に対して位置ずれ移動する方向の力を受けるので、前記弾性板を顎部材に取付けるための構造は、このような作用を分析した上で、実験を重ねながら開発しなければ、実用に耐え得ないものとなる。
【００１０】
本考案者の実験によれば、前記弾性板を接着剤で顎部材に固着した試験品は、弾性板が簡単に剥離してしまうことが確認された。そこで、前記弾性板を顎部材にボルトで固着した試験品を実験すると、接着剤の場合よりも固着状態を持続するが、ボルトを挿通した弾性板の孔が破断し、弾性板が大きく位置ずれすることが確認された。
【００１１】
このように弾性板の剥離や位置ずれが生じるときは、露出した金属製の顎部が立壁部に当接し、立壁部を損傷するだけでなく、顎部材が立壁部を挟着した状態から弛み、壁つなぎ材を好適に支持できなくなるという問題がある。
【００１２】
この点に関して、実験の分析結果によれば、前記現象は、顎部材と立壁部の相互の作用により、弾性板と顎部材の間に剪断力を生じることが原因であることを究明した。従って、この点の対策が必要である。
【００１３】
本発明は、上述の弾性板に関して生じる問題を解決し、建造物の立壁部に対する強固な取付けを可能にすると共に、常に弾性板により立壁部を好適に保護することができる壁つなぎ材の固定装置を提供することを課題としている。
【課題を解決するための手段】
【００１４】
そこで、本考案が手段として構成したところは、仮設足場の壁つなぎ材を建造物の立壁部の頂部に固定する固定装置であり、前記立壁部の頂部両側面に配置される一対の顎部材と、一対の顎部材を連結すると共に緊締することにより立壁部を挟着する緊締手段と、前記顎部材に取付けられた弾性板を備えた構成において、前記顎部材は、弾性板が重ねられる取付面に取付孔を備えると共に、下端部に取付面から突出する支持片を設け、前記弾性板は、前記緊締手段を緊締したとき立壁部の側面に圧接させられる圧接面を備えると共に、前記取付孔に連通する受孔を設けており、前記弾性板を顎部材の取付面に対して、前記受孔と取付孔を介して頭付き取付軸により固着した状態で、前記受孔が取付軸の頭部を埋入させると共に、前記支持片の突出端が弾性板の圧接面から突出しない位置で該弾性板の下端面を支持して成る点にある。
【００１５】
本発明の好ましい実施形態において、前記支持片は、弾性板の幅方向に延びる細長い金属板を顎部材の下端部に固着することによりリブ状の突出端を形成し、弾性板を顎部材に固着した状態で、リブ状の突出端を弾性部材の圧接面から距離Ｌをあけて後退させている。
【００１６】
固定装置は、立壁部の頂面の横断方向に配置される伸縮管に一対の顎部材を設けた構成において、前記伸縮管の下面に弾性シートを設け、該弾性シートを介して伸縮管を立壁部の頂面に搭載するように構成することが好ましい。
【考案の効果】
【００１７】
本考案によれば、顎部材３ａ、３ｂが弾性板１０ａ、１０ｂを介して立壁部Ｗを挟着する構成であるから、立壁部Ｗの表面を損傷せず保護できると共に、弾性板１０ａ、１０ｂの圧接面２２ａ、２２ｂを立壁部Ｗの表面に弾性的に摩擦係合することにより、位置ずれしない強力な挟着力を確保する。
【００１８】
この際、頭付き取付軸１８ａ、１９ａ及び１８ｂ、１９ｂの頭部は、受孔１６ａ、１７ａ及び１６ｂ、１７ｂに埋入されているので、立壁部Ｗの表面を損傷しないことは勿論、弾性板１０ａ、１０ｂの圧接面２２ａ、２２ｂの全面を好適に立壁部Ｗの表面に圧接し、良好に弾性摩擦係合しているので、立壁部Ｗに対して位置ずれを生じることはなく、強力な挟着力を確保する。
【００１９】
特に、本考案によれば、顎部材３ａ、３ｂが上向き移動方向の力を受けたとき、圧接面２２ａ、２２ｂを立壁部Ｗの表面に強く摩擦係合した状態で、弾性板１０ａ、１０ｂと取付面１１ａ、１１ｂの間に剪断力を生じるが、弾性板１０ａ、１０ｂは、頭付き取付軸１８ａ、１９ａ及び１９ｂ、１９ｂにより取付面１１ａ、１１ｂに一体化され、しかも、支持片１５ａ、１５ｂにより下端面を支持されることにより、取付面１１ａ、１１ｂと一体的にのみ移動可能であるから、受孔１６ａ、１７ａ及び１６ｂ、１７ｂの破断や、弾性板１０ａ、１０ｂのめくれ上がり又は脱落等を生じることはない。従って、顎部材３ａ、３ｂが露出することにより立壁部Ｗの表面を損傷するおそれはない。
【００２０】
しかも、支持片１５ａ、１５ｂは、リブ状の突出端を弾性板１０ａ、１０ｂの圧接面２２ａ、２２ｂから距離Ｌａ、Ｌｂをあけて後退しており、圧接面２２ａ、２２ｂから突出しない位置で弾性板１０ａ、１０ｂの下端面を支持しているので、該支持片１５ａ、１５ｂの突出端が立壁部Ｗの表面に接することはなく、該立壁部Ｗの表面を損傷するおそれはない。
【００２１】
更に、伸縮管の下面に弾性シート２９を貼着し、該弾性シート２９を介して伸縮管を立壁部Ｗの頂面に搭載するように構成しておけば、立壁部Ｗの頂面が損傷しないように好適に保護される。
【図面の簡単な説明】
【００２２】
【図１】本考案の１実施形態に係る固定装置を建造物の立壁部に固定した状態を示す断面図である。
【図２】本考案の１実施形態に係る固定装置を示す斜視図である。
【図３】本考案の１実施形態に係る固定装置を構成する外側構成体を示す斜視図である。
【図４】本考案の１実施形態に係る固定装置を構成する内側構成体を示す斜視図である。
【図５】顎部材と弾性板の取付構造を示しており、（Ａ）は外側顎部材と弾性板の取付構造を示す断面図、（Ｂ）は内側顎部材と弾性板の取付構造を示す断面図である。
【考案を実施するための形態】
【００２３】
以下図面に基づいて本考案の好ましい実施形態を詳述する。
【００２４】
図１は、固定装置１を建造物における手摺やパラペット等の立壁部Ｗに固定し、足場構築体の壁つなぎ材Ｒを連結した状態を示している。
【００２５】
固定装置１は、立壁部Ｗに対して、外側（足場に臨む側）に配置される外側構成体１ａと、内側に配置される内側構成体１ｂにより構成されている。
【００２６】
外側構成体１ａは、立壁部Ｗの頂面の横断方向に配置される金属製の外側管２ａと、該外側管２ａから垂設されることにより立壁部Ｗの外側面に臨む金属製の外側顎部材３ａを溶接等で一体化することにより形成されている。
【００２７】
内側構成体１ｂは、立壁部Ｗの頂面の横断方向に配置される金属製の内側管２ｂと、該内側管２ｂから垂設されることにより立壁部Ｗの内側面に臨む金属製の内側顎部材３ｂを溶接等で一体化することにより形成されている。
【００２８】
前記外側管２ａと内側管２ｂは、相互に摺動自在に内嵌又は外嵌することにより伸縮管を構成している。図示実施形態の場合、径大とした外側管２ａに径小とした内側管２ｂを摺動自在に挿入し、外側顎部材３ａの上端近傍部を挿通する緊締ボルト４ａと、内側管２ｂの挿入端に固着した緊締ナット４ｂを相互に螺合することにより、緊締手段４を構成している。尚、緊締ボルト４ａは、外側顎部材３ａの外側面に六角頭部から成る操作部５を配置し、足場側から回転操作することができる。従って、伸縮管２ａ、２ｂを立壁部Ｗの頂面に横断方向に配置し、外側顎部材３ａを立壁部Ｗの外側面に配置すると共に、内側顎部材３ｂを立壁部Ｗの内側面に配置した状態で、緊締手段４を緊締すれば、一対の顎部材３ａ、３ｂが相互に近接方向に移動し、立壁部Ｗを挟着する。
【００２９】
［外側構成体の構成］
図３に示すように、外側管２ａは、矩形断面とされた角管により形成され、先端底壁に切欠き部６を形成し、該切欠き部の上方に位置して角管の上壁と両側壁を抱持する門形の金属板から成る補強板７を溶接等で固着しており、該補強板７に近傍する上壁を貫通するリベットから成るストッパ８が設けられている。
【００３０】
外側顎部材３ａは、金属盤から成り、外側面の上下方向の中途部に溶接等で固着されたナットから成る連結手段９を設け、該連結手段９は、足場構築体から延びるロッドから成る壁つなぎ材Ｒを連結固着する。
【００３１】
外側顎部材３ａの内側面は、弾性板１０ａを重ね合わせて取付けるための取付面１１ａを形成し、上下２個所に取付孔１２ａ、１３ａを設けている。図示実施形態の場合、上側の取付孔１２ａは、前記連結手段９の反対側の位置に設けられた雌ネジ孔を構成し、下側の取付孔１３ａは、外側顎部材３ａを貫通する挿通孔を構成している。外側顎部材３ａの下端面には、該下端縁に沿って延びる細長い金属板１４ａが溶接等で固着されており、前記取付面１１ａから突出する支持片１４ａのリブ状の突出端により支持片１５ａを構成している。
【００３２】
前記弾性板１０ａは、例えば硬度９０とされた比較的弾性反発率の高いゴム板により形成され、前記取付面１１ａに重ね合わせたとき、前記取付孔１２ａ、１３ａに連通する受孔１６ａ、１７ａを設けており、図例の場合、皿孔を形成している。そこで、弾性板１０ａは、取付面１１ａに重ね合わせた状態で、頭付きボルトから成る取付軸１８ａ、１９ａにより固着される。上側の頭付き取付軸１８ａは、受孔１６ａを挿通すると共に前記上側の取付孔１２ａにより構成された雌ネジ孔２０ａに螺着され、下側の頭付き取付軸１９ａは、受孔１７ａを挿通すると共に前記下側の取付孔１３ａを挿通し、挿出端に袋ナット２１ａが螺着される。尚、頭付き取付軸は、図示のようなボルトの他、リベットにより構成しても良い。
【００３３】
図示実施形態の場合、前記頭付き取付軸１８ａ、１９ａの頭部は、皿状に形成され、前記受孔１６ａ、１７ａに埋入される。このようにして固着された弾性板１０ａは、前記締結手段４を締結したとき立壁部Ｗの外側面に圧接させられる圧接面２２ａを構成し、該弾性板１０ａの下端面を前記支持片１５ａにより支持されている。この際、図５（Ａ）に示すように、支持片１５ａは、距離Ｌａで示すように、リブ状の突出端を弾性板１０ａの下端面のうち圧接面２２ａから後退した部位に位置するように形成されており、圧接面２２ａから突出しない位置で弾性板１０ａの下端面を支持する。
【００３４】
［外側構成体の構成］
図４に示すように、内側管２ｂは、矩形断面とされた角管により形成され、先端に前記締結ナット４ｂを溶接等で固着すると共に、尾端に窓孔２３を開設した蓋部材２４を溶接等で固着しており、該内側管２ｂの上部にスリット２５を設けたガイド板２６を重ね合わせた状態で溶接等により固着し、更に、先端近傍部の両側に薄板から成る振れ止め板２７を溶接等で固着している。
【００３５】
これにより、内側管２ｂは、外側管２ａに挿入したとき、前記ガイド板２６により上下方向及び左右方向にガタツキを防止された状態で内嵌され、好適に摺動自在な伸縮管を構成し、伸縮管を最大長さとなるように伸長したとき、スリット２５の端部２５ａが外側管２ａに設けたストッパ８に当接することにより、抜止め手段を構成すると共に、その状態で、振れ止め板２７が内側管２ａの振れを防止する。
【００３６】
内側顎部材３ｂは、平板状の金属板から成り、該金属板の外側面に平行に固着されたブラケット２８、２８を内側管２ｂの尾端部下面に溶接等で固着されている。上述のように外側管２ａには切欠き部６が形成されているので、内側管２ｂを外側管２ａに挿入し、伸縮管を最小長さとなるように収縮したとき、ブラケット２８、２８が切欠き部６に納められる。
【００３７】
内側顎部材３ｂの内側面は、弾性板１０ｂを重ね合わせて取付けるための取付面１１ｂを形成し、上下２個所に取付孔１２ｂ、１３ｂを設けている。図示実施形態の場合、上下の取付孔１２ｂ、１３ｂは、内側顎部材３ｂを貫通する挿通孔を構成している。内側顎部材３ｂの下端面には、該下端縁に沿って延びる細長い金属板１４ｂが溶接等で固着されており、前記取付面１１ｂから突出する支持片１４ｂのリブ状の突出端により支持片１５ｂを構成している。
【００３８】
前記弾性板１０ｂは、例えば硬度９０とされた比較的弾性反発率の高いゴム板により形成され、前記取付面１１ｂに重ね合わせたとき、前記取付孔１２ｂ、１３ｂに連通する受孔１６ｂ、１７ｂを設けており、図例の場合、皿孔により形成されている。そこで、弾性板１０ｂは、取付面１１ｂに重ね合わせた状態で、頭付き取付軸１８ｂ、１９ｂにより固着される。頭付き取付軸１８ｂ、１９ｂは、受孔１６ｂ、１７ｂと取付孔１２ｂ、１３ｂに挿通され、挿出端にナット２０ｂ、２１ｂが螺着されている。尚、頭付き取付軸は、図示のようなボルトの他、リベットにより構成しても良い。
【００３９】
図示実施形態の場合、前記頭付き取付軸１８ｂ、１９ｂの頭部は、皿状に形成され、前記受孔１６ｂ、１７ｂに埋入される。このようにして固着された弾性板１０ｂは、前記締結手段４を締結したとき立壁部Ｗの外側面に圧接させられる圧接面２２ｂを構成し、該弾性板１０ｂの下端面を前記支持片１５ｂにより支持されている。この際、図５（Ｂ）に示すように、支持片１５ｂは、距離Ｌｂで示すように、リブ状の突出端を弾性板１０ｂの下端面のうち圧接面２２ｂから後退した部位に位置するように形成されており、圧接面２２ｂから突出しない位置で弾性板１０ｂの下端面を支持する。
【００４０】
上記構成の固定装置１は、外側管２ａと内側管２ａにより構成された伸縮管を伸長させることにより、外側顎部材３ａと内側顎部材３ｂの間隔を広げた状態で、伸縮管を立壁部Ｗの頂面に対して横断方向に向けて載置し、外側顎部材３ａを立壁部Ｗの外側面に臨ませ、内側顎部材３ｂを立壁部Ｗの内側面に臨ませられる。この際、固定装置１は、図１に示すように、伸縮管（図例の場合、外側管２ａ）の下面に弾性シート２９を貼着した構成とされ、該弾性シート２９を介して伸縮管を立壁部Ｗの頂面に搭載することにより、立壁部Ｗの頂面を保護することが好ましい。
【００４１】
そこで、操作部５を介して緊締ボルト４ａを回転し、緊締ナット４ｂを引き寄せることにより伸縮管２ａ、２ｂを収縮させると、顎部材３ａ、３ｂが立壁部Ｗの両側面を挟着し、固定装置１を強固に固定する。顎部材３ａ、３ｂの挟着は、弾性板１０ａ、１０ｂを介して、それぞれの圧接面２２ａ、２２ｂを立壁部Ｗの両側面に圧接することにより行われるので、立壁部Ｗの表面を損傷することはない。
【００４２】
固定装置１を立壁部Ｗに固定した後、足場構築体から延設された壁つなぎ材Ｒを外側顎部材３ａの連結手段９に固着する。この状態で、壁つなぎ材Ｒが足場構築体の微振動や微揺動等を受けと、固定装置１に種々の方向の力が伝達され、顎部材３ａ、３ｂと立壁部Ｗの相互には、取付面１１ａ、１１ｂと弾性板１０ａ、１０ｂの間に剪断力を作用する。この際、固定装置１は、外側管２ａと内側管２ｂから成る伸縮管を立壁部Ｗの頂面に載置しているので、前記剪断方向の移動力は、主として顎部材３ａ、３ｂを上向き方向の移動力として作用する。
【００４３】
この場合、弾性板１０ａ、１０ｂは、立壁部Ｗの粗面とされた表面に圧接面２２ａ、２２ｂを圧接することにより強く弾性的に摩擦係合しているので、顎部材３ａ、３ｂの上向き移動に対して、圧接面２２ａ、２２ｂは固定状態を保持する。これに対して、顎部材３ａ、３ｂの取付面１１ａ、１１ｂは、平滑な金属面を構成している。従って、弾性板１０ａ、１０ｂと取付面１１ａ、１１ｂの間に剪断力が生じ、弾性板１０ａ、１０ｂに対して取付面１１ａ、１１ｂが位置ずれ偏位しようとする。そして、もしも、位置ずれ偏位が生じると、頭付き取付軸１８ａ、１９ａ及び１９ｂ、１９ｂにより受孔１６ａ、１７ａ及び１６ｂ、１７ｂが破断されることになる。
【００４４】
この点に関して、本考案によれば、弾性板１０ａ、１０ｂは、下端面を支持片１５ａ、１５ｂに支持され、取付面１１ａ、１１ｂに一体的にのみ移動可能とされているので、前述のような位置ずれ偏位は生じない。従って、受孔１６ａ、１７ａ及び１６ｂ、１７ｂが破断されることはない。このため、弾性板１０ａ、１０ｂのめくれ上がりや脱落等もなく、金属製の顎部材３ａ、３ｂが露出することにより立壁部Ｗの表面を損傷するおそれはない。
【００４５】
しかも、支持片１５ａ、１５ｂは、上述の距離Ｌａ、Ｌｂで示すように、リブ状の突出端を弾性板１０ａ、１０ｂの下端面のうち圧接面２２ａ、２２ｂから後退した部位に位置させており、圧接面２２ａ、２２ｂから突出しない位置で弾性板１０ａ、１０ｂの下端面を支持しているので、該支持片１５ａ、１５ｂの突出端が立壁部Ｗの表面に接することはなく、該立壁部Ｗの表面を損傷するおそれはない。
【００４６】
そして、頭付き取付軸１８ａ、１９ａ及び１８ｂ、１９ｂの頭部は、受孔１６ａ、１７ａ及び１６ｂ、１７ｂに埋入されているので、立壁部Ｗの表面を損傷しないことは勿論、弾性板１０ａ、１０ｂの圧接面２２ａ、２２ｂの全面を好適に立壁部Ｗの表面に圧接し、良好に弾性的に摩擦係合しているので、立壁部Ｗに対して位置ずれを生じることはなく、強力な挟着力を確保する。
【００４７】
尚、支持板１５ａ、１５ｂにより弾性板１０ａ、１０ｂの破断等を防止する技術的構成は、上記実施形態では一対の顎部材３ａ、３ｂに設けた例を説明したが、この点の技術的構成は、顎部材３ａ、３ｂの一方にのみ設けても良い。また、弾性板１０ａ、１０ｂの取付構成に関して、上記実施形態では、上下一対の受孔１６、１７と一対の頭付きボルト１８、１９について説明したが、受孔と頭付き取付軸の個数が限定されるものではないことを諒解されたい。
【符号の説明】
【００４８】
Ｗ  立壁部
Ｒ  壁つなぎ材
１  固定装置
１ａ  外側構成体
２ａ  内側構成体
２ａ  外側管
２ｂ  内側管
３ａ  外側顎部材
３ｂ  内側顎部材
４  緊締手段
４ａ  緊締ボルト
４ｂ  緊締ナット
５  操作部
６  切欠き部
７  補強板
８  ストッパ
９  連結手段
１０ａ、１０ｂ  弾性板
１１ａ、１１ｂ  取付面
１２ａ、１２ｂ  取付孔
１３ａ、１３ｂ  取付孔
１４ａ、１４ｂ  金属板
１５ａ、１５ｂ  支持片
１６ａ、１６ｂ、１７ａ、１７ｂ  受孔
１８ａ、１８ｂ、１９ａ、１９ｂ  頭付き取付軸
２０ａ  雌ネジ孔
２０ｂ  ナット
２１ａ  袋ナット
２１ｂ  ナット
２２ａ、２２ｂ  圧接面
２３  窓孔
２４  蓋部材
２５  スリット
２５ａ  端部
２６  ガイド板
２７  振れ止め板
２８  ブラケット
２９  弾性シート
【図１】
0003186642.tif 000003
【図２】
0003186642.tif 000004
【図３】
0003186642.tif 000005
【図４】
0003186642.tif 000006
【図５】
0003186642.tif 000007